(57)【要約】【課題】パイプ棚などの棚材に対して、荷重を分散すると共に、安定性に優れ、しかも、パイプ棚に対してバリエーションに富んだ取り付けが可能な補助棚を提供する。【解決手段】平板状の背もたれ部の下部に底受け部を前面側に突設した本体と、  本体の横幅に見合った長さの水平杆部に連続して左右一対の腕杆部を形成し、腕杆部それぞれの端部に互いに向き合う一対の水平な取付軸を形成した剛性線材からなるハンガーとを備え、本体は、背もたれ部の上縁にはパイプに掛止可能なフック部と、底受け部の裏面側にはパイプに上方から係止可能な係止凹部とを有すると共に、左右外向きに開口してハンガーの取付軸を両側から着脱可能に差し込む左右一対の軸穴を上下端部それぞれに一対ずつ有する一方、ハンガーは、腕杆部それぞれの水平杆部と連続する他端部に、パイプに掛止可能な第１湾曲部と、パイプに上方から係止可能な第２湾曲部とを連成したＳ字状フック部を有する。【選択図】図１
2019176907.tif 000002
【特許請求の範囲】
【請求項１】
複数本のパイプまたは線材からなる並行材によって構成された棚材に取り付けて使用する補助棚であって、
平板状の背もたれ部の下部に底受け部を前面側に突設し、該背もたれ部の上縁には前記並行材に掛止可能なフック部と、前記底受け部の裏面側には前記並行材に上方から係止可能な係止凹部とを有すると共に、左右外向きに開口する左右一対の軸穴を上下端部それぞれに一対ずつ有する本体と、
剛性線材からなり、前記本体の横幅に見合った長さの水平杆部に連続して左右一対の腕杆部を形成し、該腕杆部それぞれの端部に、前記本体の上下何れかの前記軸穴に選択的に差し込み可能な取付軸を形成すると共に、前記腕杆部それぞれの前記水平杆部と連続する他端部には、前記並行材に掛止可能な第１湾曲部と、前記並行材に上方から係止可能な第２湾曲部とを連成したＳ字状フック部を有するハンガーとを備え、
前記ハンガーを前記本体の下側に取り付け、前記フック部と前記第１湾曲部それぞれを水平な前記棚材の前後する２本の並行材それぞれに下側から掛止することで、前記棚材の下側で前記背もたれ部を傾斜状態に吊持する第一の取付態様と、
該第一の取付態様から前記ハンガーを前記本体の上側に付け替え、前記係止凹部と前記第２湾曲部それぞれを水平な前記棚材の前後する２本の並行材それぞれに上側から係止することで、前記棚材の上側で前記背もたれ部を傾斜状態に保持する第二の取付態様とを選択して前記棚材に取付可能であることを特徴とした補助棚。
【請求項２】
第二の取付態様は、第一の取付態様からハンガーを左右反転して、本体の上側に付け替えた態様によって棚材に取付可能である請求項１記載の補助棚。
【請求項３】
本体は、フック部と係止凹部の間隔を、水平な棚材の前後する２本の並行材に同時に掛止及び係止する間隔として、前記本体を前記棚材上に前後移動を規制した状態で水平に保持可能とした請求項１または２記載の補助棚。
【請求項４】
棚材が垂直に設置される場合において、本体とハンガーとを前記第一の取付態様と同じ組み付けにし、フック部を前記棚材の上下する並行材のうちの上側の並行材に掛止し、第２湾曲部をその下側の並行材に係止することで、前記棚材の前側で前記背もたれ部を傾斜状態に保持する第三の取付態様をも選択可能とした請求項１、２または３記載の補助棚。
【請求項５】
本体は、背もたれ部の左右にサイドガードを前面側に突設してなる請求項１から４のうち何れか一項記載の補助棚。
【発明の詳細な説明】
【技術分野】
【０００１】
この発明は、キッチン等に備え付けのパイプ棚に取り付けることでレシピ本や携帯端末を目の高さに合わせて立て掛けることができる補助棚に関するものである。
【背景技術】
【０００２】
レシピ本、あるいはタブレット端末やスマートフォンなどの携帯端末でレシピを見ながら調理する場合、これらを調理台に直に置くと、調理スペースが狭くなって調理がしづらく、また、低い位置にあって紙面や画面を見づらく、さらに、調理中にレシピ本や携帯端末を汚すといった不便さがあった。
【０００３】
そこで、キッチンに備え付けのパイプ棚など、適当な横桟に引っ掛けることでレシピ本を目の高さに合わせて保持することができる吊下式のブックホルダーが提案されている（特許文献１、２）。これら特許文献１・２のブックホルダーは、本を置く部分（特許文献１の「背もたれ板１５」、特許文献２の「傾動部６」）が傾斜しており、本を見やすい角度に保持することができるようになっている。
【先行技術文献】
【特許文献】
【０００４】
【特許文献１】実用新案登録第３０２６５７１号公報
【特許文献２】実開平４−１２５７３０号公報
【発明の概要】
【発明が解決しようとする課題】
【０００５】
しかしながら、特許文献１・２のブックホルダーは、横桟に対して上部の掛止部（特許文献１の「掛止鉤部２」、特許文献２の「掛止部２」）のみで全体を吊持する一点支持構造であるため、引っ掛けた横桟に本の重みが集中して横桟を曲げてしまうおそれがあり、また、本をめくる際に前後に揺動するなど安定性にも欠ける。
【０００６】
さらに、特許文献１・２のブックホルダーは、取付方法が横桟に吊り下げる一態様に限られ、取付態様にバリエーションがない。
【０００７】
本発明は上述した課題を解決するためになされたもので、その目的とするところは、荷重を分散すると共に、安定性に優れ、しかも、パイプ棚に対してバリエーションに富んだ取り付けが可能な補助棚を提供することである。
【課題を解決するための手段】
【０００８】
上述した目的を達成するために本発明では、パイプ棚に代表されるように、複数本の並行材（パイプ）からなる棚材に取り付けて使用する補助棚であって、平板状の背もたれ部の下部に底受け部を前面側に突設した本体と、該本体の横幅に見合った長さの水平杆部に連続して左右一対の腕杆部を形成し、該腕杆部それぞれの端部に互いに向き合う一対の水平な取付軸を形成した剛性線材からなるハンガーとを備える。
【０００９】
前記本体は、前記背もたれ部の上縁には前記並行材に掛止可能なフック部と、前記底受け部の裏面側には前記並行材に上方から係止可能な係止凹部とを有すると共に、左右外向きに開口して前記ハンガーの前記取付軸を両側から着脱可能に差し込む左右一対の軸穴を上下端部それぞれに一対ずつ有する。
【００１０】
一方、前記ハンガーは、前記腕杆部それぞれの前記水平杆部と連続する他端部に、前記並行材に掛止可能な第１湾曲部と、前記並行材に上方から係止可能な第２湾曲部とを連成したＳ字状フック部を有する。
【００１１】
本補助棚によれば、ハンガーと本体は、取付軸を軸穴に差し込むことによってヒンジを構成し、折り畳み可能に結合される。そして、棚材に対する第一の取付態様として、前記ハンガーを前記本体の下側に取り付け、前記フック部と前記第１湾曲部それぞれを水平な前記棚材の前後する２本の並行材それぞれに下側から掛止することで、前記棚材の下側で前記背もたれ部を傾斜状態に吊持することができる。
【００１２】
また、第二の取付態様として、第一の取付態様から前記ハンガーを前記本体の上側に付け替え、前記係止凹部と前記第２湾曲部それぞれを水平な前記棚材の前後する２本の並行材それぞれに上側から係止することで、前記棚材の上側で前記背もたれ部を傾斜状態に保持することもできる。この場合、ハンガーを第一の取付態様から左右反転させてから付け替えるほうが、棚材への取り付けが容易になる。
【００１３】
これら第一・第二の取付態様のいずれを選択するかは、棚材の高さや棚材への他の物品の載置状況等に応じて使用者が自由に決定することができる。そして、何れの取付態様であっても、傾斜状態にある背もたれ部にタブレット端末やスマートフォンといった携帯端末を立て掛けて収容することができ、携帯端末を見やすい高さ、及び角度に保持することができる。なお、背もたれ部や底受け部は、少なくとも携帯端末に対応する大きさ等に設定するが、当該大きさ等を調整することで、携帯端末よりも大きいレシピ本などの書籍や、携帯端末よりも厚みがある調味料容器なども立て掛けて収容することができる。
【００１４】
本補助棚は、未使用時には、棚材上に本体を水平に載置することができるが、単に載せただけでは不安定である。そこで、本発明では、フック部と係止凹部の間隔を、水平な棚材の前後する２本の並行材に同時に掛止及び係止する間隔として、前記本体を前記棚材上に前後移動を規制した状態で水平に保持可能とするという手段を用いる。この場合、本体のズレが拘束され、背もたれ部が水平な棚板として機能することから、背もたれ部の上面（第一・第二の取付態様における前面）に各種物品を安定して載置することができる。さらに、ハンガーを折り畳まずに背もたれ部から下方に垂れ下げた状態とすれば、当該ハンガーの水平杆部に布巾やレードルなどの調理器具を吊り下げることもできる。
【００１５】
なお、ここまで、水平な棚材への適用を説明した。また、棚材を構成する並行材とは、取付対象がパイプ棚であればパイプであるが、網棚に採用されるような細く中実の線材も含む概念である。また、「パイプ」は丸管であることが一般的であり、このような丸管であれば本補助棚をどの方向からも取り付けることができるが、本発明では厳密に丸管のみを指すものではなく、断面楕円形の異形管であってもよい。
【００１６】
さらに、パイプ棚には、当初よりキッチンの戸棚等に備え付けられている既設の他、棚材（並列管）と突張棒（支柱）とを組み合わせて、使用者が事後的にキッチンに設置できるようにしたものもある。さらに後者のパイプ棚には、棚材を壁と平行するように垂直方向に突張棒に装着できるものがある。この場合、複数本の並行材は上下に並列することになる。そこで、本発明では、棚材が垂直に設置される場合において、本体とハンガーとを前記第一の取付態様と同じ組み付けにし、フック部を前記棚材の上下する並行材のうちの上側の並行材に掛止し、第２湾曲部をその下側の並行材に係止することで、前記棚材の前側で前記背もたれ部を傾斜状態に保持する第三の取付態様をも選択可能とした。
【００１７】
さらに、本体は、背もたれ部の左右にサイドガードを前方に突設してなることで、より確実に物品の脱落を防止することができる。
【発明の効果】
【００１８】
本発明によれば、パイプ棚などの複数本の並行材からなる棚材に対して、本体とハンガーの双方で２本の並行材に取り付けられるため、荷重が分散され、また、安定性にも優れる。さらに、パイプ棚等の高さや使用状況に応じて、複数の態様から適したものを選択して取り付けられるようにしたので、非常に使い勝手がよい補助棚とすることができた。
【図面の簡単な説明】
【００１９】
【図１】本発明の一実施形態に係る補助棚の分解斜視図
【図２】同、分解側面図
【図３】同、第一の取付態様を示した斜視図
【図４】同、側面図
【図５】同、第二の取付態様を示した斜視図
【図６】同、側面図
【図７】同、別の取付態様を示した斜視図
【図８】同、側面図
【図９】同、第三の取付態様を示した斜視図
【図１０】同、側面図
【図１１】同、本体とハンガーの組み付けパターンを示した側面図
【発明を実施するための形態】
【００２０】
以下、本発明の好ましい実施の形態を添付した図面に従って説明する。図１・２は、本発明の一実施形態に係る補助棚を分解した図であり、本補助棚は、基本的に本体ＲとハンガーＨの二部材から構成される。
【００２１】
各部材の構成を詳述すると、先ず本体Ｒは、平板状の背もたれ部１の下部に底受け部２を突設し、断面略Ｌ字状に形成している。背もたれ部１は、底受け部２を突設した側を前面として、背もたれ部１にタブレット端末やスマートフォンその他の物品を立て掛けたり、載置するものである。底受け部２は背もたれ部１に立て掛けた物品を下支えして落下を防止する。また、本実施形態では、背もたれ部１の左右にサイドガード３を前方に向けて突設し、背もたれ部１の左右についても物品の落下を防止している。
【００２２】
そして、背もたれ部１の上縁には裏面側に湾曲し、下向き開口のフック部４を設けている。また、背もたれ部１の下部背面、即ち、底受け部２の裏面側に位置する部分には、後方に水平に開口する係止凹部５を設けている。これらフック部４と係止凹部５は、取付対象であるパイプ棚のパイプに掛止（引っ掛け止めること）、または係止（係り止めること）する形状及び大きさとしている。
【００２３】
このような構成の本体Ｒは、プラスチックなどを素材として各要素が一体に成型される。そして、該本体Ｒの上縁及び下縁それぞれには、ハンガーＨを取り付けるための左右一対の軸穴６が一対ずつ形成されている。
【００２４】
次にハンガーＨは、ステンレス棒などの剛性線材を屈成するなどして、本体Ｒの背もたれ部１の幅に見合った長さの水平杆部７を有し、その左右に略９０度の角度をもって腕杆部８が一対形成されている。
【００２５】
左右一対の腕杆部８の自由端部それぞれには、本体Ｒの軸穴６に対応して、互いに向き合う一対の水平な取付軸９が設けられている。この取付軸９を軸穴６に差し込むことで、当該差込部分をヒンジとして、ハンガーＨと本体Ｒとを相対的に回動自在に連結することができる。
【００２６】
一方、腕杆部８の水平杆部７と連続する側の他端部には、取付軸９側に湾曲状に折り返した第１湾曲部１０ａと、さらに反対側に湾曲状に折り戻した第２湾曲部１０ｂとを連成したＳ字状フック部１０を形成している。言い換えれば、左右の腕杆部８の下端部にはＳ字状フック部１０を設け、その第２湾曲部１０ｂの端部間に水平杆部７を形成している。このＳ字状フック１０における第１湾曲部１０ａ及び第２湾曲部１０ｂは、腕杆部８の長手方向において互いに上下逆向きに開口しており、それぞれは、本体Ｒのフック部４と同様に、パイプ棚のパイプに掛止する形状及び大きさとしている。
【００２７】
図３・４は、複数本のパイプＰを並列に設けた棚材ＲＢを水平に架け渡したパイプ棚に対する本補助棚の第一の取付態様を示したものである。この態様では、本体Ｒの下側にハンガーＨを組み付けている。そして、本体ＲとハンガーＨをくの字に回動して、本体Ｒのフック部４を棚材ＲＢの奥側のパイプＰに下側から掛止すると共に、手前側のパイプＰにはハンガーＨのＳ字状フック部１０における第１湾曲部１０ａをやはり下側から掛止している。
【００２８】
この第一の取付態様では、本補助棚は前後する２本のパイプＰによって棚材ＲＢの下側に吊持される。このような態様において、本体Ｒは傾斜状態となり、背もたれ部１にスマートフォンＳＰを立て掛けて、その画面に表示されるレシピを見ながら調理することができる。また、背もたれ部１の余りスペースには調味料容器ＳＶも同時に立て掛けることもできる。
【００２９】
図５・６は、本補助棚の第二の取付態様を示したものであり、第一の取付態様からハンガーＨを左右反転し、本体Ｒの上側に付け替え、本体ＲとハンガーＨを山型に回動して、棚材ＲＢの奥側のパイプＰにはハンガーＨの第２湾曲部１０ｂを上方から係止すると共に、手前側のパイプＰには本体Ｒの係止凹部５をやはり上方から係止している。
【００３０】
この第二の取付態様では、本補助棚は棚材ＲＢの上側に取り付けられる。このように、第一の取付態様とは本補助棚の取り付け位置が棚材ＲＢの上か下かで相違するが、これ以外、本補助棚を２本のパイプＰで支持すること、本体Ｒの背もたれ部１が傾斜状態となること、そして、背もたれ部１に物品を立て掛けることについては、第一の取付態様と変わるところはない。なお、図５では、物品としてタブレット端末ＴＰを立て掛けた状態を例示している。
【００３１】
本補助棚は、携帯端末などを立て掛けないときは、棚材ＲＢの上に置いておくことができる。図７・８は、そのときの取付態様を示したもので、本体Ｒのフック部４をパイプＰに掛止したあと、係止凹部５を前後する別のパイプＰに上方から係止したものである。即ち、この実施形態において本体Ｒは、フック部４と係止凹部５の間隔が前後する２本のパイプＰの距離と一致している。したがって、フック部４と係止凹部５を同時に前後する２本のパイプＰに取り付けることで、棚材ＲＢ上に本体Ｒを前後の移動を規制した状態で水平に載置することができる。
【００３２】
そして、本体Ｒが水平に保持されることによって、その背もたれ部１は棚板として機能して、調味料容器ＳＶなどの物品を載置することができる。
【００３３】
また、ハンガーＨは垂直に垂れ下がるので、その水平杆部７に布巾ＤＣやレードルなどのフック付き調理器具（図示せず）を掛けておくこともできる。また、ハンガーＨのＳ字状フック部１０における第１湾曲部１０ａにもフック付き調理器具等を引っ掛けることができる。
【００３４】
なお、図例では、本体Ｒを底受け部２が後方となるように取り付けているが、これは底受け部２が前方に位置すると、背もたれ部１に載置した物品をやや取り出しにくいからである。ただし、どちらを手前とするかは使用者の自由である。また、ハンガーＨについても、棚材ＲＢの後方に位置するように本体Ｒに取り付けているが、前方に付け替えることも可能である。
【００３５】
ここまで棚材ＲＢが水平な通常使用状態のパイプ棚について本補助棚の取付方法を説明したが、図９・１０では、パイプＰが上下に並列するように棚材ＲＢを垂直姿勢としたものについて、本補助棚の第三の取付態様を説明する。
【００３６】
この第三の取付態様では、本体ＲとハンガーＨを第一の取付態様と同じ組み付けにして、本体Ｒのフック部４を上側のパイプＰに上方から掛止すると共に、ハンガーＨの第二湾曲部１０ｂを下側のパイプＰに前方から係止することで、棚材ＲＢの前方において本補助棚を上下する２本のパイプＰ間でくの字に折曲した状態に取り付けている。
【００３７】
したがって、この取付態様においても、本体Ｒの背もたれ部１が傾斜状態となり、ここに物品（図９では、見開いたレシピ本Ｂを例示している）を立て掛けることができる。
【００３８】
このように、本補助棚によれば、本体Ｒの上下にハンガーＨを付け替えることで、様々な態様でパイプ棚に取り付けることができる。図１１は、ここまで説明した取付態様毎の本体ＲとハンガーＨの組み合わせを示しており、同図（ａ）は第一の取付態様と第三の取付態様に、（ｂ）は第二の取付態様に、（ｃ）は棚材ＲＢ上に本体Ｒを水平に取り付ける態様（図７・８）にそれぞれ対応する。なお、第二の取付態様では、ハンガーＨを第一の取付態様から左右反転させているが、反転させずに本体Ｒの上側に付け替えるだけでも、棚材ＲＢの上側に本体Ｒを傾斜状態として保持することができる。
【符号の説明】
【００３９】
Ｒ  本体
Ｈ  ハンガー
ＲＢ  棚材
Ｐ１・Ｐ２  パイプ
１  背もたれ部
２  底受け部
３  サイドガード
４  フック部
５  係合凹部
６  軸穴
７  水平杆部
８  腕杆部
９  取付軸
１０  Ｓ字フック部
１０ａ  第１湾曲部
１０ｂ  第２湾曲部
ＳＰ  スマートフォン
ＳＶ  調味料容器
ＴＰ  タブレット端末
ＤＣ  布巾
Ｂ  レシピ本
【図１】
2019176907.tif 000003
【図２】
2019176907.tif 000004
【図３】
2019176907.tif 000005
【図４】
2019176907.tif 000006
【図５】
2019176907.tif 000007
【図６】
2019176907.tif 000008
【図７】
2019176907.tif 000009
【図８】
2019176907.tif 000010
【図９】
2019176907.tif 000011
【図１０】
2019176907.tif 000012
【図１１】
2019176907.tif 000013